(57)【要約】【課題】  左右に着座した隣者同士の窮屈感を和らげるとともに、ハンドバックなどの小物な手荷物等の置き場所を確保することができ、かつ物品の出入れを容易に行うことができるようにして、使い勝手を良くし、しかも、物品が物品収容棚から落下した際における破損の心配をなくすことができる椅子の連結方式を提供する。【解決手段】  座部２が支えられる左右一対の前脚３および後脚４を備えるとともに、前記左右の前脚３と後脚４との下部を、前後方向を向く横桟５によりそれぞれ連結してなる椅子１を、左右方向に少なくとも２台隣接して配置し、これら左右の椅子１、１の隣接する横桟５、５同士を、物品載置棚６をもって連結する。【選択図】    図１
2009183533.tif 000002
【特許請求の範囲】
【請求項１】
座部が支えられる左右一対の前脚および後脚を備えるとともに、前記左右の前脚と後脚との下部を、前後方向を向く横桟によりそれぞれ連結してなる椅子を、左右方向に少なくとも２台隣接して配置し、これら左右の椅子の隣接する横桟同士を、物品載置棚をもって連結したことを特徴とする椅子の連結方式。
【請求項２】
物品載置棚上に、前後方向と上下方向が長くて左右方向が短い物品収容空間が形成されるように、左右の椅子の隣接する横桟同士を物品載置棚をもって連結した請求項１記載の椅子の連結方式。
【請求項３】
物品載置棚における前後方向に延びる左右両上端部に、左右の椅子の隣接する横桟にそれぞれ着脱可能に掛止めされる掛止部を設けた請求項１または２記載の椅子の連結方式。
【請求項４】
物品載置棚の下端を、床面等の椅子設置面上に接地可能にした請求項１〜３のいずれかに記載の椅子の連結方式。
【請求項５】
物品載置棚の前後両端部を、下方に向けそれぞれ折曲することにより、この折曲部の下端を、床面等の椅子設置面上に接地可能にした請求項４記載の椅子の連結方式。
【発明の詳細な説明】
【技術分野】
【０００１】
本発明は、例えば結婚式場やパーティ会場、会議室あるいは美術館や博物館等において使用される椅子の連結方式に関する。
【背景技術】
【０００２】
従来の椅子には、左右一対の前後両脚に支えられた座部の下方に、物品収容棚が設けられたものがあり、この物品収容棚に、小物な手荷物等を載置して、一時的に収容しておくことができるようになっている（特許文献１、２参照）。
また、左右方向に隣接する２台の椅子同士を連結するようにしたものも公知である（特許文献３参照）。
【０００３】
しかし、前記した特許文献１、２に記載の椅子は、いずれもハンドバックやファイル・ボックスなどのように、左右方向と上下方向が長くて前後方向が短い物品、あるいは前後方向と上下方向が長くて左右方向が短い物品などの特有な形状を有する物品を立てたままの状態で収容することができないばかりでなく、物品の出入れも面倒であるため、使い勝手が悪い。
また、物品収容棚の位置が、床面等の椅子設置面よりも高い場合、物品が壊れ物であると、物品が物品収容棚から落下した際には、破損し易いなどの心配があった。
【０００４】
さらに、前記した特許文献３のものでは、連結された左右の椅子にそれぞれ着座した隣者同士の間が狭くて、窮屈感を覚えるばかりでなく、小物な手荷物等の置き場所がないため、不便であるという問題があった。
【特許文献１】実開平７−２０８９８号公報
【特許文献２】実用新案登録第３０４３３６８号公報
【特許文献３】特開２００７−２８９５５２号公報
【発明の開示】
【発明が解決しようとする課題】
【０００５】
本発明は、前記の現状に鑑み、左右に着座した隣者同士の窮屈感を和らげるとともに、ハンドバックなどの小物の手荷物等の置き場所を確保することができ、かつ物品の出入れを容易に行うことができるようにして、使い勝手を良くし、しかも、物品が物品収容棚から落下した際における破損の心配をなくすことができる椅子の連結方式を提供することを目的とする。
【課題を解決するための手段】
【０００６】
上記課題は「特許請求の範囲」の欄における各請求項に記載するように、次のような構成からなる発明によって解決される。
【０００７】
（１）  座部が支えられる左右一対の前脚および後脚を備えるとともに、前記左右の前脚と後脚との下部を、前後方向を向く横桟によりそれぞれ連結してなる椅子を、左右方向に少なくとも２台隣接して配置し、これら左右の椅子の隣接する横桟同士を、物品載置棚をもって連結する。
【０００８】
（２）  上記（１）項において、物品載置棚上に、前後方向と上下方向が長くて左右方向が短い物品収容空間が形成されるように、左右の椅子の隣接する横桟同士を物品載置棚をもって連結する。
【０００９】
（３）  上記（１）項または（２）項において、物品載置棚における前後方向に延びる左右両上端部に、左右の椅子の隣接する横桟にそれぞれ着脱可能に掛止めされる掛止部を設ける。
【００１０】
（４）  上記（１）〜（３）項のいずれかにおいて、物品載置棚の下端を、床面等の椅子設置面上に接地可能にする。
【００１１】
（５）  上記（４）項において、物品載置棚の前後両端部を、下方に向けそれぞれ折曲することにより、この折曲部の下端を、床面等の椅子設置面上に接地可能にする。
【発明の効果】
【００１２】
本発明によると、次のような効果が奏せられる。
請求項１記載の発明によると、左右に隣接する椅子の横桟同士を、物品載置棚をもって連結してあるため、左右の椅子間を、物品載置棚の左右の幅に応じて離間させることができ、これによって、左右に着座した隣者同士の窮屈感を和らげることができるとともに、ハンドバックなどの小物な手荷物等の置き場所を確保することができる。
また、左右の椅子間の前後方向が開放されているため、物品の出入れを前後方向から容易に行うことができ、使い勝手を良くすることができる。
さらに、左右の前脚と後脚との下部における横桟間に、物品載置棚を連結してあるため、物品載置棚と床面等の椅子設置面との間の距離が近接し、物品が物品収容棚から落下した際における破損の心配をなくすことができる。
【００１３】
請求項２記載の発明によると、物品載置棚上に、前後方向と上下方向が長くて左右方向が短い物品収容空間が形成されるように、左右の椅子の隣接する横桟同士を物品載置棚をもって連結してあるため、ハンドバックやファイル・ボックスなどの特有な形状の物品を、立てたままの状態で容易に収容することができる。
【００１４】
請求項３記載の発明によると、左右の椅子の隣接する横桟にそれぞれ着脱可能に掛止めされる掛止部を設けてあるため、横桟に物品載置棚を容易に取り付けることができる。
【００１５】
請求項４記載の発明によると、物品載置棚の下端を、床面等の椅子設置面上に接地可能にしてあるため、物品載置棚が揺動することがなく、物品載置棚の安定化を図ることができるとともに、物品の積載重量が横桟に掛かる負担を軽減することができる。
【００１６】
請求項５記載の発明によると、物品載置棚の前後両端部を、下方に向けそれぞれ折曲することにより、この折曲部の下端を、床面等の椅子設置面上に接地可能にしてあるため、前記請求項４に記載のものと同様な効果を奏する。
【発明を実施するための最良の形態】
【００１７】
以下、本発明の実施形態を図面に基づいて詳細に説明する。
図１は、本発明の一実施形態における椅子の連結方式を示す斜視図、図２は、物品載置棚の拡大斜視図、図３は、図１のIII−III線における断面図、図４は、図１の正面図である。
【００１８】
図１に示すように、椅子１は、座部２と、この座部２の前後をそれぞれ支える左右１対の前脚３、３、後脚４、４と、これら左右の前脚３、３と後脚４、４との下部をそれぞれ連結する前後方向を向く横桟５、５とにより構成されている。
【００１９】
前記椅子１が、左右方向に隣接して複数台（図示の実施形態では２台）に亘って配置されているとともに、これら左右の椅子１、１間に跨って、物品載置棚６が配設されている。
【００２０】
物品載置棚６は、全体をワイヤーによって形成し、図２に示すように、上向きほぼコ字形に折曲した複数の受け部材７を前後方向に並設するとともに、これら受け部材７の左右の上端を、前後方向に延びる左右１対のフレーム８、８に溶接により固着することにより、前後方向に縦長の受皿状に形成されている。
【００２１】
また、前後方向の両端に位置する受け部材７、７における左右の上端には、左右方向の外側に向けて折曲したフック状の掛止部９、９がそれぞれ設けられている。
これらの掛止部９を、左右の椅子１、１間の互いに対向する双方の横桟５、５の前後に掛止めして、左右の椅子１、１における隣接する横桟５、５同士を、物品載置棚６をもって連結することにより、左右の椅子１、１が連結される。
【００２２】
物品載置棚６は、左右の椅子１、１間における前脚３と後脚４との下部に配設することにより、図３、図４に示すように、床面等の椅子設置面Ｆ上から近接した高さに位置している。
これにより、左右の椅子１、１間の物品載置棚６上には、図１、図３、図４に想像線で示すように、前後方向と上下方向が長くて左右方向が短い物品収容空間Ｓが形成されている。
【００２３】
すなわち、左右に隣接する椅子１、１の横桟５、５同士を、物品載置棚６をもって連結してあるため、左右の椅子１、１間を、物品載置棚６の左右の幅に応じて離間させることができるため、左右に着座した隣者同士の窮屈感を和らげることができるとともに、ハンドバックなどの小物な手荷物等の置き場所を確保することができる。
また、左右の椅子１、１間の前後方向が開放されているため、物品の出入れを前後方向から容易に行うことができ、使い勝手を良くすることができる。
さらに、左右の前脚３と後脚４との下部における横桟５、５間に、物品載置棚６を連結してあるため、物品載置棚６と床面等の椅子設置面Ｆとの間の距離が近接し、物品が物品収容棚６から落下した際における破損の心配をなくすことができる。
【００２４】
物品載置棚６における前後両端部の受け部材７、７は、更に下方に向けて深く折曲することにより、折曲部１０、１０が形成されており、これらの折曲部１０の下端１０ａが、床面等の椅子設置面Ｆ上に接地しうるようになっている。
そのため、左右の椅子１、１間に配置された物品載置棚６が揺動することがなく、物品載置棚６の安定化を図ることができるとともに、物品の積載重量が、左右の椅子１、１の隣接する横桟５、５に掛かる負担を軽減することができる。
【００２５】
また、前脚３、後脚４は、左右の前脚３、３間および後脚４、４間が、上方から下方に向けて拡開するように傾斜して設けられている。
そのため、不使用時には、物品載置棚６を取外して、複数の椅子１をスタッキングしうるようになっている。
【図面の簡単な説明】
【００２６】
【図１】本発明の一実施形態における椅子の連結方式を示す斜視図である。
【図２】物品載置棚の拡大斜視図である。
【図３】図１のIII−III線における断面図である。
【図４】図１の正面図である。
【符号の説明】
【００２７】
１    椅子
２    座部
３    前脚
４    後脚
５    横桟
６    物品載置棚
７    受け部材
８    フレーム
９    掛止部
１０  折曲部
１０ａ  下端
Ｆ    床面（椅子設置面）
Ｓ    物品収容空間
【図１】
2009183533.tif 000003
【図２】
2009183533.tif 000004
【図３】
2009183533.tif 000005
【図４】
2009183533.tif 000006